(57)【要約】      （修正有）【課題】透明プラスチック板製の蓋体を透して装飾体が現れ、お洒落な外観になると共に、商品価値の高い美麗なコンパクトミラーになる。【解決手段】ケース体１と蓋体１０とフレーム２０とから構成されている。少なくとも蓋体１０が透明体である。ケース体１はその底面部に透明の蓋体１０を収容可能な大きさの凹部４を有する。透明の蓋体１０はその底面部にフレーム２０を収容可能な大きさの凹部１２を有する。内面側に鏡板２２を、外面側に装飾体２３を貼着してなるフレーム２０の外周面２５と透明の蓋体１０の周壁１１とを超音波溶接で溶着してフレーム２０を透明の蓋体１０と一体化する。該透明の蓋体１０とケース体１をヒンジ部１６によって軸支して透明の蓋体１０をケース体１に嵌脱自在にする。【選択図】図3
0003102855.tif 000002
【実用新案登録請求の範囲】
【請求項１】
ケース体と蓋体とフレームとから構成され、少なくとも蓋体が透明体であり、ケース体はその底面部に透明の蓋体を収容可能な大きさの凹部を有し、透明の蓋体はその底面部にフレームを収容可能な大きさの凹部を有し、内面側に鏡板を、外面側に装飾体を貼着してなるフレームの外周面と透明の蓋体の周壁とを超音波溶接で溶着してフレームを透明の蓋体と一体化し、該透明の蓋体とケース体をヒンジ部によって軸支して透明の蓋体をケース体に嵌脱自在になるように構成したことを特徴とするコンパクトミラー。
【請求項２】
ケース体、透明の蓋体、フレームの正面形状は、それぞれ円形状に形成されている請求項１に記載のコンパクトミラー。
【請求項３】
ケース体の上部の底面部に、透明の蓋体が一定角度以上の回動を阻止するための係止開口部を形成してある請求項1または２に記載のコンパクトミラー。
【請求項４】
透明の蓋体は、外面の中央部が高く上下両側縁に向かって徐々に低くなる緩やかな弧状面に形成してある請求項1〜３のいずれか一つに記載のコンパクトミラー。
【請求項５】
装飾体は、絵、文字、模様、マーク、キャラクターなど適宜の表示部が印刷されている請求項１〜４のいずれか一つに記載のコンパクトミラー。
【考案の詳細な説明】
【技術分野】
【０００１】
本考案は、鞄やポケットに入れて携帯し手鏡あるいは机や台の上に置き卓上鏡としても使用できるコンパクトミラーに関するものであり、さらに詳しくは、透明の蓋体と一体になるフレームの外面に装飾体を設けた外観が優美になるコンパクトミラーに関するものである。
【背景技術】
【０００２】
従来から、鞄やポケットに入れて携帯できるコンパクトミラーは、身だしなみを整えたり或いは化粧直しやコンタクトレンズを着脱する時などに使用し、軽量であると共に鏡板の開閉が簡単であって片手で持って使用するのに便利であることから多くの人が持ち歩いている。
【０００３】
そのコンパクトミラーは、一般的に鏡板を取り付けたプラスチック製の蓋体と、その蓋体を収容する凹部を有するプラスチック製のケース体とが一端部のヒンジ部で枢着された二つ折りタイプのものが知られている。そのコンパクトミラーは、蓋体やケース体の裏面はプラスチック成形されたままの板状体であり、何ら装飾性が付与されていないため雅趣に乏しく外観が優美でなかった。（例えば、特許文献１）
【０００４】
そのような課題を解決するコンパクトミラーとして、例えば、内側面に鏡板が接着されたプラスチック製のケース体と、その鏡板をカバーするプラスチック製の蓋体とが一端部でヒンジ結合されると共に、蓋体の外面およびケース体の外面に合成樹脂地、布地、紙などの表装材を貼着して意匠的効果を高めて外観を美麗にすると共に、衝撃吸収することにより鏡板の破損を防ぐものが提案されている。（例えば、参考文献２）
【０００５】
【特許文献１】実開平３−７２８１４号公報
【特許文献２】登録実用新案第３０６８５９９号公報
【考案の開示】
【考案が解決しようとする課題】
【０００６】
しかしながら、上記の表装材を貼着したコンパクトミラーは、蓋体およびケース体の外面に表装材があるため、鞄やポケットに収納して持ち歩くと表装材が他物と擦れ合って汚損したり破損することになり、短期間のうちに外観が不良になる問題点があった。
【０００７】
本考案は、上記のような問題点を解決することを課題として開発されたもので、透明プラスチック板製の蓋体を透して装飾体が現れ、お洒落な外観になると共に、商品価値の高い美麗なコンパクトミラーを提供することを目的とするものである。
【課題を解決するための手段】
【０００８】
上記の課題を解決し、その目的を達成する手段として、ケース体と蓋体とフレームとから構成され、少なくとも蓋体が透明体であり、ケース体はその底面部に透明の蓋体を収容可能な大きさの凹部を有し、透明の蓋体はその底面部にフレームを収容可能な大きさの凹部を有し、内面側に鏡板を、外面側に装飾体を貼着してなるフレームの外周面と透明の蓋体の周壁とを超音波溶接で溶着してフレームを透明の蓋体と一体化し、該透明の蓋体とケース体をヒンジ部によって軸支して透明の蓋体をケース体に嵌脱自在になるように構成したことを特徴とするコンパクトミラーを開発し、採用した。
【０００９】
また、上記のように構成したコンパクトミラーにおいて、ケース体、透明の蓋体、フレームの正面形状は、それぞれ円形状に形成されているコンパクトミラー、およびケース体の上部の底面部に、透明の蓋体が一定角度以上の回動を阻止するための係止開口部を形成してあるコンパクトミラー、および透明の蓋体は、外面の中央部が高く上下両側縁に向かって徐々に低くなる緩やかな弧状面に形成してあるコンパクトミラー、および装飾体は、絵、文字、模様、マーク、キャラクターなど適宜の表示部が印刷されているコンパクトミラーを開発し、採用した。
【考案の効果】
【００１０】
フレームの外周面と透明の蓋体の周壁とが超音波溶接で一体的に溶着されるから、接着剤による接合のような跡形が着くことなく美しい仕上がりとなり、透明の蓋体であっても溶着部が目立つことがなく、かつ経年使用しても溶着部が容易に外れることがない。
【００１１】
また、フレームの外面に貼着した装飾体が透明の蓋体を透して現れるので、お洒落な外観になり意匠的効果を高めて商品価値を上げると共に、外観優美なコンパクトミラーになる。さらに、装飾体は透明の蓋体によって被覆保護されていることから、鞄やポケットに入れて携帯しても他物との接触で汚損や破損することがない。
【００１２】
また、手鏡および卓上鏡に兼用できると共に、卓上鏡とした時に、透明の蓋体の下端部がケース体の上部の底面板に設けた回動を阻止するための係止開口部に係合するので起立姿勢が安定すると共に、その起立姿勢が予め自然な状態で鏡板に顔を写しだすことのできる傾斜角度になっているから、いちいち鏡板に顔が映るか傾斜角度を調整する必要がなくなる。
【００１３】
さらに、装飾体は厚みのあるフレームの外面に貼着してあると共に、外面の中央部が高く上下両側縁に向かって徐々に低くなる緩やかな弧状面に形成した透明の蓋体の内面にあるので、装飾体に施した絵、文字、模様、マーク、キャラクターなどの表示部が立体的に現れより鮮明に見える。
【００１４】
装飾体には、絵、文字、模様、マーク、キャラクターなど適宜の表示部が印刷されているから意匠的効果があり装飾性に富むコンパクトミラーを製作することができるものである。
【考案を実施するための最良の形態】
【００１５】
以下に、本考案の実施の形態を添付図面に基づいて説明すれば、本考案のコンパクトミラーは、図１〜５に示しているように、大別すると一番大きな外径を有するケース体１と、そのケース体１に収容される大きさの外径からなる蓋体１０と、さらに蓋体１０に収容される大きさの外径のフレーム２０との３部材から構成されており、いずれも正面形状が円形のプラスチック板製で、ケース体１および蓋体１０は透明プラスチック板製である。
【００１６】
透明プラスチック板製のケース体１は、図６〜８に示すように、円形の平坦な底面板２の周辺に上方に向かって透明プラスチック板製の蓋体１０の厚さに相当する高さの周壁３を設けてあり、この周壁３と底面板２とにより透明プラスチック板製の蓋体１０を収容する凹部４を形成してある。５は後述のヒンジ部１６の軸受け部となる周壁３の欠除部で、その欠除部５の左右の周壁端面に軸孔６、６を穿設してある。７は透明プラスチック板製のケース体１の上部底面板２に設けた係止開口部で、透明プラスチック板製の蓋体１０を一定角度以上回動することのないように透明プラスチック板製の蓋体１０の下端部が係止する開口部であり、欠除部５から下方に向かって末広がり状に形成してある。８は欠除部５の対向する周壁３に形成した半円形の窪み部からなる指掛け溝である。
【００１７】
透明プラスチック板製の蓋体１０は、前記透明プラスチック板製のケース体１の凹部４に嵌る外径を有し、外面１０ａは中央部が高く上下両側縁に向かって徐々に低くなる緩やかな弧状面に形成してあると共に、内面１０ｂは水平面に形成されている。その内面１０ｂの周辺から下方に向かってフレーム２０の厚さに相当する高さの周壁１１を設けてある。この周壁１１と内面１０ｂとによりフレーム２０を収容する凹部１２を形成してある。１３は透明プラスチック板製のケース体１の欠除部５に嵌る幅を持つ突出部であり、その幅方向に貫通する軸孔１４が穿設されていて前記透明プラスチック板製のケース体１の周壁端面の軸孔６、６と軸孔１４を合致させ軸１５を挿通してヒンジ部１６を構成している。
【００１８】
フレーム２０は、前記透明プラスチック板製の蓋体１０の凹部１２に嵌る外径を有する一定厚さの円板状に形成されており、その内面側に凹部２１を設けて円形の鏡板２２を接着してあり、一方、外面側には紙、合成樹脂シート、布、金属シートなどからなる円形の装飾体２３を貼着してある。その装飾体２３には、例えば絵、文字、模様、マーク、キャラクターなど適宜の表示部２４が印刷されている。このフレーム２０は前記透明プラスチック板製の蓋体１０内面の凹部１２に嵌合された後、フレーム２０の外周面２４と蓋体１０の周壁１１の内面とを超音波溶接で溶着され一体化してある。
【００１９】
このように構成した本考案の使用状態を作用、効果と共に説明すると、鞄やポケットから取り出して使用する時に、透明プラスチック板製の蓋体１０を透して装飾体２３が現れているので見栄えの良いお洒落なコンパクトミラーになる。
【００２０】
そして、図１、図２の透明プラスチック板製の蓋体１０が折り畳まれている状態から手鏡として使用する時には、透明プラスチック板製のケース体１の周壁３に設けた指掛け溝８に指を嵌め、透明プラスチック板製の蓋体１０を上方に向けて起立させていき透明プラスチック板製の蓋体１０の角度を透明プラスチック板製のケース体１に対して少なくとも９０度以上傾斜すれば鏡板２２に顔を写すことができる。
【００２１】
さらに透明プラスチック板製の蓋体１０を回動させて図３に示すように、透明プラスチック板製のケース体１と透明プラスチック板製の蓋体１０が上下一直線状になるまで回動して透明プラスチック板製のケース体１を手で持つことにより手鏡となり鏡板２２に顔を写すことができる。この時、透明プラスチック板製の蓋体１０の外面に装飾体２３が現れているから見栄えの良い優美なコンパクトミラーになる。
【００２２】
図３の手鏡の状態から、さらに透明プラスチック板製の蓋体１０を回動して略１２０度傾斜すると図４に示すように卓上鏡となる。この時、図５に示すように、透明プラスチック板製の蓋体１０の下端部がケース体１の係止開口部７に係合して受け止められ回動阻止されることから起立姿勢が安定すると共に、自然な状態で鏡板２２に顔を写すことができる。この時においても、透明プラスチック板製の蓋体１０の外面に装飾体２３が現出しているから意匠的効果によって装飾され美麗なコンパクトミラーになる。
【００２３】
また、装飾体２３には絵、文字、模様、マーク、キャラクターなど適宜の表示部２４を印刷してあり、特に若年者が好むキャラクターなどを印刷することにより、商品の売上に寄与するものである。
【００２４】
以上、本考案の主要な実施例について説明したが、本考案はこれらの実施例に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００２５】
本考案はコンパクトミラーだけでなく、比較的大きな鏡の場合でも、且つ円形に限らず楕円形、四角形、六角形などにでも利用できるものである。
【図面の簡単な説明】
【００２６】
【図１】折り畳んだ状態の正面図である。
【図２】図１のＡ−Ａ線断面図である。
【図３】透明の蓋体を起立して手鏡とした状態の正面図である。
【図４】卓上鏡とした状態の側面図である。
【図５】図４の縦断面図である。
【図６】ケース体の正面図である。
【図７】ケース体の背面図である。
【図８】図７のＢ−Ｂ線断面図である。
【図９】透明の蓋体の正面図である。
【図１０】透明の蓋体の背面図である。
【図１１】図９のＣ−Ｃ線断面図である。
【図１２】フレームの正面図である。
【図１３】フレームの背面図である。
【図１４】図１２のＤ−Ｄ線断面図である。
【図１５】装飾体の正面図である。
【符号の説明】
【００２７】
１      ケース体
４      凹部
７      係止開口部
１０    透明の蓋体
１０ａ  外面
１１    周壁
１２    凹部
１６    ヒンジ部
２０    フレーム
２２    鏡板
２３    装飾体
２４    表示部
２５    外周面
【図１】
0003102855.tif 000003
【図２】
0003102855.tif 000004
【図３】
0003102855.tif 000005
【図４】
0003102855.tif 000006
【図５】
0003102855.tif 000007
【図６】
0003102855.tif 000008
【図７】
0003102855.tif 000009
【図８】
0003102855.tif 000010
【図９】
0003102855.tif 000011
【図１０】
0003102855.tif 000012
【図１１】
0003102855.tif 000013
【図１２】
0003102855.tif 000014
【図１３】
0003102855.tif 000015
【図１４】
0003102855.tif 000016
【図１５】
0003102855.tif 000017